(57)【要約】      （修正有）【課題】平常時においては、災害時等の非常時に必要な物を部屋の美観を損ねることなく保管することができる一方で、非常時においては簡単且つ避難の妨げになることなく持ち出すことができる壁飾り兼用の非常時持出用具を提供する。【解決手段】柔軟な素材により板体状に形成された基体部２，３と、基体部２，３の裏面側に設けられた、物品を収容するための収容部４，５とを備える。平常時には基体部の裏面側が露出しない状態で壁飾りとして壁面に掛けられ、非常時には壁面から取外して身に着けることを可能とする。【選択図】図１
0003185968.tif 000002
【実用新案登録請求の範囲】
【請求項１】
柔軟な素材により板体状に形成された基体部と、該基体部の裏面側に設けられた、物品を収容するための収容部とを備え、平常時には基体部の裏面側が露出しない状態で壁飾りとして壁面に掛けられ、非常時には壁面から取外して身に着けることが可能な壁飾り兼用の非常時持出用具。
【請求項２】
前記非常時持出用具は、一対の前記基体部を備えていて、これらの一対の基体部は、それぞれの裏面側が相対するように配設されていると共に、少なくとも各基体部の上端側が相互に連結されている、請求項１に記載の壁飾り兼用の非常時持出用具。
【請求項３】
前記一対の基体部の上端側の連結部分に、使用者の頭部を通すための開口部が形成されている、請求項２に記載の壁飾り兼用の非常時持出用具。
【請求項４】
前記非常時持出用具は、単一の前記基体部を備えていて、該基体部の裏面側に、非常時において身に着ける際に該非常時持出用具を背負うための肩紐が設けられている、請求項１に記載の壁飾り兼用の非常時持出用具。
【請求項５】
前記基体部は、該基体部の表面側から裏面側に貫通するスリットを備えていて、該スリットが前記収容部における物品を出し入れするための出し入れ口である、請求項１〜４のいずれか１項に記載の壁飾り兼用の非常時持出用具。
【請求項６】
前記収容部は、前記基体部の裏面側において上方に開口する、物品を出し入れするための出し入れ口を備えている、請求項１〜４のいずれか１項に記載の壁飾り兼用の非常時持出用具。
【考案の詳細な説明】
【技術分野】
【０００１】
本考案は、平常時は貴重品や食糧を収容した状態で壁飾りとして機能する一方で、災害等の非常時に持ち出して身に着けることができる壁飾り兼用の非常時持出用具に関するものである。
【背景技術】
【０００２】
火災や洪水、地震に伴う津波等の災害が発生した場合には、早急に避難することが必要であり、また、避難するに際しては避難先において生きていくために必要な水や食糧、あるいは金銭等を確保することもまた肝要である。
実際、２０１１年に発生した東日本大震災においては、想定外の大きさの津波が発生したことから、一刻も早く安全な場所への避難を行うことの重要性が確認された。一方で、食糧や貴重品等を置いて避難したために、津波が一旦引いた時に必要なものを取りに自宅に戻り、その後に押し寄せた津波に襲われた例もあったことから、必要最低限のものを避難と共に手早く持ち出して、安全が確認できるまでは避難場所に留まることができるようにしておくべきである。
そのため、近年においては、災害等の非常時に備え、例えば特許文献１に示すような避難用のバックに、必要最低限の物品を予め収容しておき、災害等が発生した場合にはそのバックを持って早期に避難できるようにしておくという意識が高まっている。
【０００３】
しかしながら、前記避難用のバッグは、非常時にはきわめて重要な役割を果たすものの、平常時には使用することはほとんどない一方で、非常時にはすぐに持ち出せるようにするため、部屋内の目につきやすい場所に置いておく必要がある。そのため、この種の避難用のバッグは平常時においては邪魔になる場合が多い上、置き場所によって部屋の美観を大きく損ねるという問題があった。
したがって、前記避難用のバックは倉庫にしまわれたり、見えない場所に置かれたりして、非常時に全く機能しなくなる可能性が高い。
【０００４】
一方、避難するに際しては、怪我防止あるいは子供と手を繋げるように、両手をできるだけ自由に使える状態にしておくことが肝要である。また、避難時において、必要最低限の物を持ち出すにしても、避難の妨げにならないような状態で持ち運べることが好ましい。
【先行技術文献】
【特許文献】
【０００５】
【特許文献１】実用新案登録第３１４７６８２号公報
【考案の概要】
【考案が解決しようとする課題】
【０００６】
本考案の技術的課題は、平常時においては、災害時等の非常時に必要な物を部屋の美観を損ねることなく保管することができる一方で、非常時においては簡単且つ避難の妨げになることなく持ち出すことができる壁飾り兼用の非常時持出用具を提供することにある。
【０００７】
前記課題を解決するため、本考案の壁飾り兼用の非常時持出用具は、柔軟な素材により板体状に形成された基体部と、該基体部の裏面側に設けられた、物品を収容するための収容部とを備え、平常時には基体部の裏面側が露出しない状態で壁飾りとして壁面に掛けられ、非常時には壁面から取外して身に着けることが可能なものである。
【０００８】
本考案においては、前記非常時持出用具は、一対の前記基体部を備えていて、これらの一対の基体部は、それぞれの裏面側が相対するように配設されていると共に、少なくとも各基体部の上端側が相互に連結されているものとすることができる。
この場合においては、前記一対の基体部の上端側の連結部分に、使用者の頭部を通すための開口部が形成されているものとすることが好ましい。
【０００９】
あるいは、本考案においては、前記非常時持出用具は、単一の前記基体部を備えていて、該基体部の裏面側に、非常時において身に着ける際に該非常時持出用具を背負うための肩紐が設けられているものとすることができる。
【００１０】
また、本考案においては、前記基体部は、該基体部の表面側から裏面側に貫通するスリットを備えていて、該スリットが前記収容部における物品を出し入れするための出し入れ口であるものとすることができる。
あるいは、前記収容部は、前記基体部の裏面側において上方に開口する、物品を出し入れするための出し入れ口を備えているものとすることができる。
【考案の効果】
【００１１】
本考案によれば、平常時においては、災害時等の非常時に必要な食糧や水、金銭等の物品を収容部に収容し且つ、それらが見えない状態で壁飾りとして壁面に掛けることができるため、部屋の美観を損ねることなく保管することができる。その一方で、非常時においては、着用して持ち出すことができるため、非常時に必要な物品を避難の妨げになることなく容易に持ち出すことができる。また、前記非常時持出用具は、部屋の壁面に掛けられていて比較的に身近に置くことができるため、非常時にはすぐに持ち出すことができ、これにより、非常時においては最低限必要な物品を持って一刻も早い避難行動を起こすことが可能となる。
【図面の簡単な説明】
【００１２】
【図１】本考案に係る非常時持出用具の第１の実施の形態を模式的に示す（ａ）正面図、（ｂ）背面図である。
【図２】同側面図である。
【図３】（ａ）は図１（ａ）のＡ−Ａ拡大断面図、（ｂ）は（ａ）の要部拡大端面図である。
【図４】本考案に係る非常時持出用具における壁掛用部材の構成を説明する（ａ）壁掛部材の要部拡大断面図、（ｂ）要部拡大側面図である。
【図５】本考案に係る第１の実施の形態の非常時持出用具を着用した状態を模式的に示す図である。
【図６】本考案に係る非常時持出用具の第２の実施の形態を模式的に示す（ａ）正面図、（ｂ）背面図である。
【図７】同側面図である。
【図８】本考案に係る第２の実施の形態の非常時持出用具を着用した状態を模式的に示す図である。
【考案を実施するための形態】
【００１３】
図１〜図５は、本考案に係る壁飾り兼用の非常時持出用具の第１の実施の形態を示すもので、この第１の実施の形態の非常時持出用具１Ａは、板体状に形成された一対の基体部２，３と、これら一対の基体部２，３の各裏面側２ｂ，３ｂにそれぞれ設けられた、避難時に必要な食糧や水のペットボトル、金銭等の貴重品などの各種物品を収容するための複数の収容部４，５とを備えている。
そして、平常時には基体部２，３の裏面側２ａ，３ａが露出しない状態で壁飾りとして壁面に掛けられ、非常時には壁面から取外して身に着けることか可能な壁飾り兼用のものとなっている。
【００１４】
前記一対の基体部２，３は、いずれも布等の柔軟な素材により形成されたもので、避難時に必要な物品、例えば缶詰やペットボトル等を前記収容部に入れても破れない程度の剛性を有している。
この実施の形態においては、前記一対の基体部２，３は、相互に同形同大の横長の略矩形状となっていて、火災時においても燃えにくい難燃性の薄い布により形成されたものとなっている。
【００１５】
また、これらの一対の基体部２，３は、それぞれの裏面側２ｂ，３ｂが相対し、且つ各基体部２，３の四隅を互いに一致させた状態で、それぞれの上端部、及び左右両側が縫合等の手段によって相互に連結された構成となっている。したがって、この非常用持出用具１Ａは、前記一対の基体部２，３の下端側が縫合されることなく大きく開口した袋状の構成となっていると共に、後述するスリット８を除く前記収容部４の大部分、及び収容部５は、基体部２，３の表面側から見た場合にはほとんど視認することができない状態となっている。
【００１６】
さらに、前記一対の基体部２，３の上端側の連結部分には、この非常時持出用具１Ａを持ち出す者（使用者）の頭部を通すための頭部用開口部６が形成されている。
また、前記一対の基体部２，３の左右両端側の連結部分には、前記使用者の腕を通すための左右一対の腕用開口部７，７がそれぞれ形成されている。
したがって、前記非常時持出用具１Ａは、下端側の開口を通して前記一対の基体部２，３の間の空間内に使用者の体を通すと共に、前記頭部用開口部６から使用者の頭を、腕用開口部７，７から使用者の腕をそれぞれ外部に導出させることにより、衣服として着用することが可能となっている。
【００１７】
一方、前記収容部４，５は、上端側に避難時に必要な物品を出し入れするための出し入れ口が形成されたもので、この実施の形態においては、各基体部２，３に種々の大きさの収容部４，５がそれぞれ複数個ずつ設けられている。なお、各収容部４，５は、前記物品を収容、保持する部分が布等の柔軟な素材により形成されていて、容易に変形させることが可能となっている。
前記一対の基体部２，３のうちの一方の基体部（以下、第１の基体部という。）２に設けられた各収容部４は、厚みの小さな袋状に形成されている。また、この第１の基体部２には、該第１の基体部２の表面側２ａから裏面側２ｂに貫通し、且つその第１の基体部２の左右方向（長手方向）に延びる線状のスリット８が形成されていて、このスリット８が前記収容部４における物品の出し入れ口となっている。したがって、この第１の基体部２に設けられた各収容部４は、この第１の基体部２の表面側２ａから前記物品の出し入れをそれぞれ行うことが可能となっている。
なお、前記スリット８は前記収容部４毎に、各収容部４の大きさに応じた長さでそれぞれ設けられていて、各スリット８内の空間を通して対応する収容部４に個別に前記物品の出し入れができる構成となっている。
【００１８】
ここで、この第１の基体部２の収容部４の出し入れ口を前記スリット８としたのは、基体部の表面側から物品の出し入れを行うことができる利便性を確保するためである。さらに、収容部の出し入れ口をできる限り目立たせないようにして、平常時に壁飾りとして使用する際に基体部の表面側の美観を損なわないようにすると共に、前記物品が収容された収容部の存在を可及的に隠すためである。
即ち、後で詳述する他方の基体部３の収容部５は、該基体部３の裏面側３ｂに物品の出し入れ口９がある関係で、前記物品の出し入れが比較的面倒であるため、あまり出し入れしないような物、例えば保存食等を入れるのに適している。
一方で、日常的に出し入れする可能性があるもの、例えば金銭や印鑑、通帳等については、出し入れが容易である方が好ましいが、収容部の出し入れ口は目立たない方がよく、また収容部そのものの存在もできるだけ見えないようにする方がよい。また、本考案の非常時持出用具は、平常時においては壁飾りである以上、最も目につく基体部の表面の美観についてはしっかり確保する必要がある。
そのため、この実施の形態においては、前記第１の基体部２の収容部４の出し入れ口をスリット８として、表面側２ａの美観を崩さないようにし、且つ収容部４の存在ができるだけ目立たないようにしている。
【００１９】
また他方の基体部（以下、第２の基体部という。）３に設けられた各収容部５は、該第２の基体部３の裏面側３ｂにおいて上方に開口する出し入れ口９を備えたボックス状に形成されたものである。したがって、この第２の基体部３に設けられた各収容部５は、前記腕用開口部７，７や、一対の基体部２，３の下端側の開口から、前記出し入れ口９を通じて前記物品の出し入れをそれぞれ行うことが可能となっている。
この第２の基体部３の収容部５は、非常時持出用具の外方からは視認できない一方で、前述のように、前記第１の基体部２の収容部４に比べて物品の出し入れを行いにくいことから、あまり頻繁に出し入れしない物や、部屋の外観を損なうおそれがある物を収容するのに適している。
【００２０】
ところで、前記一対の基体部２，３の各表面側２ａ，３ａには、各種の絵や模様、あるいは写真を印刷したもの等の平面的な意匠がそれぞれ施されていて、平常時において前記非常時持出用具１Ａを部屋の壁面に掛けた際に、部屋の美観を損ねることのない、あるいは美観を向上させる壁飾りとして使用することができるようになっている。
前記各基体部２，３の表面側２ａ，３ａの各意匠については、相互に同じものであっても、異なるものであってもよいが、前記スリットの位置や形状が目立たなくなるような模様や色彩の意匠であることが好ましい。
【００２１】
また、前記非常時持出用具１Ａには、平常時においてこの非常時持出用具１Ａを、前記一対の基体部２，３ができるだけ撓まないように、また折れ曲がったりしないように壁面に掛けるための壁掛用部材１０が着脱自在に取付けられている。
この実施の形態における前記壁掛用部材１０は、前記一対の基体部２，３の間の内部空間を貫通し、両端部が前記左右の腕用開口部７，７から外部に導出される棒状の支持部材１１と、両端部が該支持部材１１の両端部に連結された柔軟な１本の紐状部材１２とで構成されている。
【００２２】
前記支持部材１１は、前記一対の基体部２，３の長手方向に延びる円筒状に形成されていて、これら一対の基体部２，３の間の内部空間において、両基体部２，３の上端側の連結部分を下方側から支持することができるようになっている。
前記紐状部材１２は、前記非常時持出用具１Ａの重さによって切れない程度の強さを有するもので、少なくとも一方の端部が前記支持部材１１に着脱自在に連結されていて、非常時において容易に取外すことができるようになっている。この実施の形態においては、この紐状部材１２の第１の端部１２ａは、前記支持部材１１に着脱自在に連結され、第１とは反対側の端部である第２の端部１２ｂは、着脱不能に前記支持部材１１に固定されている。
【００２３】
また、これらの支持部材１１と紐状部材１２の第１の端部１２ａとの連結は、次のような構成により行われている。
即ち、図４に示すように、前記支持部材１１には、前記紐状部材１２の第１の端部１２ａが連結される側の端部の上方側に、軸線方向に延びる切込み１１ａが設けられている。
一方、前記紐状部材１２の第１の端部１２ａの先端には、支持部材１１の内周径よりも小さい外周径を有する球状部材１３と、該球状部材１３と紐状部材１２とを相互に連結する金具１４とが設けられている。そして、前記支持部材１１の内部空間（筒内）１１ｂに紐状部材１２の第１の端部１２ａに取付けた前記球状部材１３を挿入すると共に、紐状部材１２あるいは金具１４を支持部材１１の切込み１１ａ内に嵌め入れることにより、球状部材１３が支持部材１１の内部空間１１ｂの内周壁に引っ掛かって、支持部材１１と紐状部材１２の第１の端部１２ａとが相互に連結された状態となる。このとき、前記紐状部材１２を壁面に設けられたフック等に吊り下げることにより、支持部材１１や前記一対の基体部２，３の重さによって球状部材１３が支持部材１１の内周壁に押し付けられるため、これらの紐状部材１２の第１の端部１２ａと支持部材１１との連結がより安定的となる。
逆に、紐状部材１２の第１の端部１２ａと支持部材１１との連結を解除する場合には、紐状部材１２を撓ませた状態で、紐状部材１２や金具１４を支持部材１１の切込み１１ａから抜くと共に、球状部材１３を支持部材１１の内部空間１１ｂから引き抜くことにより、これらの紐状部材１２の第１の端部１２ａと支持部材１１とを分離する。
【００２４】
なお、前記支持部材１１の太さ（外周径の大きさ）については、前記収容部４，５に収容する物品の大きさや厚みに応じて適宜設定される。例えば、比較的大きい物品を収容して非常時持出用具全体の厚み、即ち一対の基体部間の空間が膨らんで厚くなるような場合は比較的太めの支持部材を用いることができ、逆に非常時持出用具全体の厚みが小さい場合には細めの支持部材を用いることが好ましい。いずれにしても、収容部に物品の収容した状態において壁飾りとして違和感がない外観が保てるようにすることが肝要である。
【００２５】
前記構成を有する壁飾り兼用の非常時持出用具１Ａは、平常時においては、災害時等の非常時に必要な食糧や水、金銭等を収容部４，５に収容した状態で、居間や廊下、玄関等の家の中の身近な場所の壁面に壁飾りとして掛けておく。なお、非常時持出用具１Ａの一対の基体部２，３については、いずれの基体部２，３の裏面側２ｂ，３ｂも正面側から見たときには外部に露出しないため、どちらの基体部２，３の表面側２ａ，３ａが正面側、あるいは壁面側であってもよい。
このとき、非常時持出用具１Ａの基体部２，３の表面には、絵や模様等の平面的な意匠が施され、また収容部４，５及び該収容部４，５に収容されている物品もほとんど目に触れないため、非常時持出用具１Ａを、部屋の美観を損なうことなく且つ違和感なく身近に保管することができる。
【００２６】
一方、災害の発生等による非常時において避難を行う場合には、壁に掛けてあった非常時持出用具１Ａを壁面から取ると共に、壁掛用部材１０の支持部材１１と紐状部材１２の連結を解いて該支持部材１１を非常時持出用具１Ａから引き抜くことによりこの壁掛用部材１０を取り外す。
そして、図５に示すように、この非常時持出用具１Ａを持ち運ぶ使用者が、該非常時持出用具１Ａを衣服のように着用して避難を行う。
このとき、前記非常時持出用具１Ａは身近に保管されているため、非常時にはすぐに持ち出すことができ、避難時において最低限必要なものを持ちながらも早期の避難行動を起こすことが可能となる。また、使用者は該非常時持出用具１Ａを衣服のように着用するため、両手が塞がることがなく、これにより、両手を自由に使うことができ、可及的に安全な避難を行うことができる。
【００２７】
図６〜図８は、本考案の第２の実施の形態を示すもので、この実施の形態の非常時持出用具１Ｂは、前記第１の実施の形態が一対の基体部を備えていたのに対して、単一の基体部を備えた構成となっている。
即ち、この第２の実施の形態の非常時持出用具１Ｂは、表面側２１ａに絵や模様、写真の印刷等の平面的な意匠が施された単一の基体部２１と、該基体部２１の裏面側２１ｂに設けられた、避難時に必要な物品を収容するための複数の収容部２２とを備えている。したがって、前記基体部２１を裏面側２１ｂから見た場合には、収容部２２のほぼ全体が露出した状態である一方、基体部２１の表面側２１ａには収容部２２の物品の出し入れ口であるスリット２３が形成された状態となっている。
なお、後述する筒部２４以外の前記基体部２１、及び収容部２２については、基本的に前記第１の実施の形態の第１の基体部２及びその収容部４と同じ構成であり、また、同様の作用効果を奏するため、詳細な説明は省略する。
【００２８】
また、前記基体部２１の上端部には、平常時において非常時持出用具１Ｂ全体を、前記該基体部２１が撓まないように、また折れ曲がったりしないように壁に掛けるための壁掛用部材１０が着脱自在に取付けられている。
この実施の形態における前記壁掛用部材１０は、基本的に前記第１の実施の形態の壁掛用部材と同様の構成であるが、前記基体部２１の上端部には、この壁掛用部材１０の棒状の支持部材１１を挿入するための筒部２４が、該基体部２１の長手方向に延びるように形成されている。したがって、平常時には、前記支持部材１１がこの基体部２１の筒部２４内に挿入された上で、該支持部材１１の両端側に紐状部材１２が取付けられることとなる。
【００２９】
さらに、前記基体部２１の裏面側２１ｂには、非常時において該非常時持出用具１Ａを背負った状態で身に着けられるように、左右一対の肩紐２５，２５が設けられている。
この実施の形態においては、それぞれ帯状に形成された一対の肩紐２５，２５が基体部２１の短手方向（上下方向）にそれぞれ延びていて、図８に示すように、これらの肩紐２５，２５と基体部２１の裏面側２１ｂとの間に腕を通すことにより非常時持出用具１Ｂを背負うことが可能となっている。
これにより、避難時に非常時持出用具を持ち出す際に両手が塞がることがなく、両手を自由に使うことができる。
【００３０】
前記構成を有する非常時持出用具１Ｂを使用するに際しては、平常時においては、収容部２２が見えないように裏面側２１ｂを壁面に向けた状態で該壁面に掛けて壁飾りとして機能させることができる一方、非常時には前記壁掛用部材１０を壁面から取り外した上で前記一対の肩紐２５，２５に腕を通すことにより身に着けた状態として迅速に避難を行う。
したがって、前記第１の実施の形態と同様に、平常時においては、災害時等の非常時に必要な食糧や水、金銭等を収容部に収容し、且つそれらが見えない状態で壁飾りとして壁面に掛けることができるため、部屋の美観を損ねることなく保管することができる。また、非常時においては、背負った状態で着用して持ち出すことができるため、非常時に必要な物品を避難の妨げになることなく容易に持ち出すことができる。さらに、部屋の壁面に掛けて身近に置くことができるため、非常にはすぐに持ち出すことができ、避難時において最低限必要なものを持ちながら一刻も早い避難行動を起こすことが可能となる。
【００３１】
前記第１及び第２の実施の形態においては、前記基体部２，３，２１の形状を略矩形状としているが、各基体部の形状については、例えば円形状、楕円形状、半円状等、各種多角形状等、任意の形状とすることができる。
また、前記第１の実施の形態においては、一対の基体部２，３が同大同形となっているが、一対の基体部における各基体部の形状については、必ずしも同大同形である必要はなく、相互に異なる形状、異なる大きさであってもよい。ただし、平常時において壁飾りとして壁面に掛けておく場合に部屋の美観を損ねないこと、及び非常時において着用して避難ができることが肝要である。
なお、前記基体部の大きさについては、使用者が着用できれば任意の大きさとすることができるが、できるだけ動き易い状態で着用できる程度の大きさであることが好ましい。
【００３２】
さらに、前記第１の実施の形態においては、一対の基体部２，３の両側面については、腕用開口部７，７以外の部分を相互に連結して袖なしのシャツのように着用するようにしているが、これらの一対の基端部の両側面については、腕を出すことができれば、必ずしも連結する必要はなく、例えばポンチョやケープのように着用するようにしてもよい。
【００３３】
前記第１の実施の形態においては、第１の基体部２には、物品の出し入れ口が該第１の基体部２に設けたスリット８である構成の収容部４のみを複数設け、第２の基体部３には、該第２の基体部３の裏面側３ｂにおいて上方に開口する出し入れ口９を備えた構成の収容部５のみを複数設けている。
しかしながら、各基体部に設ける収容部の構成については任意に選択することができ、例えば、各基体部に両方の構成の収容部を混在させた状態で配設してもよく、あるいは両方の基体部にいずれか一方の構成の収容部のみをそれぞれ設けた態様であってもよい。
一方、前記第２の実施の形態においては、出し入れ口が基体部２１に設けたスリット２３である構成の収容部２２のみを設けた構成となっているが、前記基体部の裏面側において上方に開口する出し入れ口を備えた構成の収容部のみを設けてもよく、あるいは、両方の構成の収容部を混在させた状態で配設してもよい。
【００３４】
さらに、前記収容部の数については、任意の数に設定することができ、単数であっても複数であってもよい。また、各収容部の大きさについても、任意の大きさとすることができ、基体部の大きさや収容する物品の大きさ等に応じて適宜決定することができる。
【００３５】
また、前記収容部のうち、第１の実施の形態における収容部５のような、前記基体部の裏面側において上方に開口する出し入れ口を備えた構成の収容部は、出し入れ口が常時開放した状態となっているが、各収容部にこの出し入れ口を塞ぐ蓋部材を、該出し入れ口が開閉自在となるように設けてもよい。
この場合においては、避難時等において収容部内に収容されていた物品が収容部から落下することを防止することができるという利点がある。
【００３６】
前記第２の実施の形態においては、収容部２２のほぼ全部が基体部２１の裏面側２１ｂに露出した状態で該基体部に設けられているが、基体部が単一である場合には、その基体部の裏面側に、該基体部の裏面側全体を覆って収容部が外部に露出しないようにする、布等の被覆用のシートを取付けてもよい。
【符号の説明】
【００３７】
１Ａ，１Ｂ    壁飾り兼用の非常時持出用具
２，３，２１    基体部
４，５，２２    収容部
６    頭部用開口部
８，２３    スリット
２５    肩紐
【図１】
0003185968.tif 000003
【図２】
0003185968.tif 000004
【図３】
0003185968.tif 000005
【図４】
0003185968.tif 000006
【図５】
0003185968.tif 000007
【図６】
0003185968.tif 000008
【図７】
0003185968.tif 000009
【図８】
0003185968.tif 000010